(57)【要約】      （修正有）【課題】それぞれ貫通孔を有する２枚以上のマットシートがピン状の連結部材により連結され、マットシートの上下における位置関係を変えることができるフロアマットにおいて、脱着作業性を改善し、マットシート又は連結部材の脱落を抑制する。【解決手段】フロアマットでは、第一のマットシート１の貫通孔５１を保護するグロメット３の筒部内壁部３３と、連結部材の胴部６３とを部分的に接触させることにより、摩擦抵抗を小さくして、滑りを良くし、マットシート２の脱着性を向上させる。また、全ての貫通孔に貫通孔保護用リング部材を設けることにより、貫通孔の広がりを防止し、マットシート又は連結部材の脱落を防止する。【選択図】図９
2020015479.tif 000002
【特許請求の範囲】
【請求項１】
少なくとも２枚のマットシートからなるフロアマットであり、
前記マットシートはそれぞれ表面から裏面へ貫通する貫通孔を有し、
少なくとも第一のマットシートの貫通孔は、中空の筒部を有するグロメットにより保護されており、
これらのマットシートは、これらの貫通孔を貫通する胴部を有するピン状の連結部材により連結可能であり、
少なくとも第二のマットシートは、前記連結部材の一端から取外し可能であり、且つ、前記連結部材の他端に連結可能であり、
前記連結部材は、前記グロメットの筒部内を上下方向に移動させることができ、前記グロメットの筒部内壁部と連結部材の前記胴部とが部分的に接触している
ことを特徴とするフロアマット。
【請求項２】
マットシートの全ての貫通孔が貫通孔保護用リング部材により保護されている、請求項１に記載のフロアマット。
【請求項３】
前記連結部材は、その胴部の上端部において外側に突出する上部ストッパーと、前記胴部の下端部において外側に突出する下部ストッパーとを有する、請求項１又は２に記載のフロアマット。
【請求項４】
前記連結部材が回転可能であり、上部ストッパー又は下部ストッパーとグロメットとの間でマットシートを係止固定することのできる、請求項３に記載のフロアマット。
【請求項５】
グロメットの筒部に、筒部の円周方向に沿って延びるスリットを有する、請求項１〜４のいずれか一項に記載のフロアマット。
【請求項６】
連結部材の胴部の上端部と下端部との間に中央突起を有する、請求項１〜５のいずれか一項に記載のフロアマット。
【発明の詳細な説明】
【技術分野】
【０００１】
本発明は、２枚以上のマットシート（例えば、ラバーマットシート、ポリ塩化ビニル樹脂マットシート、カーペットマットシート）を積層した分離型フロアマットに関し、特に、場所を取らない分離型フロアマットに関する。
【背景技術】
【０００２】
場所を取らない分離型フロアマットとして、本出願人は特許文献１に記載のフロアマットを提案した。このフロアマットは、例えば、２枚のマットシートがそれぞれ貫通孔を有しており、これらマットシートが貫通孔を貫通するピン状の連結部材により連結しており、少なくとも１枚のマットシートは連結部材の一端から取り外し可能、かつ前記連結部材の他端に連結可能であることによって、マットシートの上下における位置関係を変えることができるため、場所を取らないフロアマットである。
【先行技術文献】
【特許文献】
【０００３】
【特許文献１】特開２０１２−１７６７０５号公報
【発明の概要】
【発明が解決しようとする課題】
【０００４】
しかしながら、前記フロアマットには、第一に、連結部材の動きが悪いため、マットシートの取外し及び連結作業性（脱着性）が悪いといった課題があった。また、第二に、マットシートの脱着の繰り返しにより、貫通孔が広がり、勘合強度が低下し、マットシート又は連結部材が移動または脱落しやすいといった課題があった。
前記第一課題を解決することを本発明の第一の課題とし、前記第二課題も解決することを本発明の第二の課題とする。
【課題を解決するための手段】
【０００５】
本発明は、
［１］少なくとも２枚のマットシート（１），（２）からなるフロアマット（１０）であり、前記マットシートはそれぞれ表面から裏面へ貫通する貫通孔を有し、少なくとも第一のマットシート（１）の貫通孔は、中空の筒部（３１）を有するグロメットにより保護されており、これらのマットシートは、これらの貫通孔を貫通する胴部（６３）を有するピン状の連結部材（６）により連結可能であり、少なくとも第二のマットシート（２）は、前記連結部材の一端から取外し可能であり、且つ、前記連結部材の他端に連結可能であり、前記連結部材は、前記グロメットの筒部内を上下方向に移動させることができ、前記グロメットの筒部内壁部（３３）と連結部材の前記胴部とが部分的に接触していることを特徴とするフロアマット、
［２］マットシートの全ての貫通孔が貫通孔保護用リング部材により保護されている、［１］のフロアマット、
［３］前記連結部材は、その胴部の上端部において外側に突出する上部ストッパーと、前記胴部の下端部において外側に突出する下部ストッパーとを有する、［１］又は［２］のフロアマット、
［４］前記連結部材が回転可能であり、上部ストッパー又は下部ストッパーとグロメットとの間でマットシートを係止固定することのできる、［３］のフロアマット、
［５］グロメットの筒部に、筒部の円周方向に沿って延びるスリットを有する、［１］〜［４］のいずれかのフロアマット、
［６］連結部材の胴部の上端部と下端部との間に中央突起を有する、［１］〜［５］のいずれかのフロアマット
に関する。
【発明の効果】
【０００６】
本発明の前記［１］のフロアマットにおいては、グロメットの筒部内壁部と連結部材の胴部とを部分的に接触させることにより、摩擦抵抗を小さくして、滑りを良くし、マットシートの脱着性を向上させることができる。
【０００７】
本発明の前記［２］のフロアマットにおいては、全ての貫通孔に貫通孔保護用リング部材（例えば、グロメット、埋設リングプレート等）を設けて筒部内壁部を構成することにより、貫通孔の広がりを防止し、マットシート又は連結部材の脱落を防止することができる。
【０００８】
本発明の前記［３］のフロアマットにおいては、連結部材が上部ストッパーと下部ストッパーとを有するため、マットシート又は連結部材が脱落しにくい。
【０００９】
本発明の前記［４］のフロアマットにおいては、連結部材を回転させ、上部ストッパー又は下部ストッパーとグロメットとの間でマットシートを係止固定することができるため、マットシート同士の勘合強度を高め、マットシート又は連結部材の脱落を防止することができる。
【００１０】
本発明の前記［５］のフロアマットにおいては、グロメットの筒部にスリットを有することにより、グロメットの筒部の形状が変化しやすくなるため、摩擦抵抗をより小さくして滑りを良くすることができる。
【００１１】
本発明の前記［６］のフロアマットにおいては、連結部材の胴部に中央突起を有することにより、連結部材を上下方向に移動させた場合に発生する可能性のあるがたつきを防止することができる。
【図面の簡単な説明】
【００１２】
【図１】本発明のフロアマット１０の一態様であって、（Ａ）樹脂マットシート１の上にカーペットマットシート２を重ねた状態の表面側（敷設時に目視できる側）の平面図と、（Ｂ）樹脂マットシート１のみの状態の表面側の平面図である。
【図２】図１に示すフロアマット１０において、両マットシート１，２の連結用貫通孔を保護するインサートプレート５、雄グロメット３の位置関係を示すために、樹脂マットシート１の上にカーペットマットシート２をずらして重ねた状態の表面側の平面図である。
【図３】図２の部分拡大平面図である。
【図４】図１〜図３に示すフロアマット１０における、カーペットマットシート２の連結用貫通孔を保護する雄グロメット３及び雌グロメット４、樹脂マットシート１の連結用貫通孔を保護するインサートプレート５、並びにピン状連結部材６（上部ストッパー６１を含む上部部品６ａと、胴部６３並びに下部ストッパー６２及び中央突起６６を含む下部部品６ｂとからなる）の分解斜視図である。
【図５】図４に示す雄グロメット３を雌グロメット４に嵌め込んで構成されるグロメット、並びに、上部部品６ａを下部部品６ｂに嵌め込んでピン状連結部材６とした状態をそれぞれ示す、斜視図である。
【図６】図１（ａ）に示すフロアマット１０（カーペットマットシート付き）における１つの貫通孔およびその周辺の構造を示す、部分拡大平面図、並びに、Ａ−Ａ線断面図、Ｂ−Ｂ線断面図、及びＣ−Ｃ線断面図（但し、Ａ−Ａ線断面図を除き、両マットシートは省略する）である。
【図７】図６の理解を助けるための参考図である。
【図８】本発明のフロアマットの基本的な使用方法を説明する模式的説明図であって、樹脂マットシート１の上にカーペットマットシート２を重ねた状態で、連結部材６を回転させてマットシート同士を勘合させた状態を示す部分拡大平面図および部分拡大断面図である。
【図９】図８に示すフロアマットにおいて、連結部材６を回転させてマットシート同士の勘合を外し、カーペットマットシート２を持ち上げることにより、マットシートを分離した状態を示す部分拡大平面図および部分拡大断面図である。
【図１０】図８に示すフロアマットにおいて、カーペットマットシート２の上に樹脂マットシート１を重ねる直前の状態を示す部分拡大平面図および部分拡大断面図である。
【図１１】図８に示すフロアマットにおいて、カーペットマットシート２の上に樹脂マットシート１を重ねた状態で、連結部材６を回転させてマットシート同士を勘合させた状態を示す部分拡大平面図および部分拡大断面図である。
【図１２】本発明のフロアマットの別の態様におけるグロメットの筒部３１の内壁部３３と連結部材６の胴部６３との接触の状態を示すための拡大断面図である。
【発明を実施するための形態】
【００１３】
本発明のフロアマットについて、添付図面に沿って説明する。
【００１４】
図１は、（Ａ）本発明の一態様であるフロアマット１０における、樹脂マットシート１の上にカーペットマットシート２を重ねた状態の表面側（敷設時に目視できる側）の平面図と、（Ｂ）前記フロアマット１０における、樹脂マットシート１のみの状態の表面側の平面図である。
図２は、図１に示すフロアマット１０において、両マットシート１，２の連結用貫通孔を保護するインサートプレート５、雄グロメット３の位置関係を示すために、樹脂マットシート１の上にカーペットマットシート２をずらして重ねた状態の表面側の平面図である。
図３は、図２の部分拡大平面図である。
【００１５】
図４は、図１〜図３に示すフロアマット１０における、カーペットマットシート２の連結用貫通孔を保護する雄グロメット３及び雌グロメット４、樹脂マットシート１の連結用貫通孔を保護するインサートプレート５、並びにピン状連結部材６（上部ストッパー６１を含む上部部品６ａと、胴部６３並びに下部ストッパー６２及び中央突起６６を含む下部部品６ｂとからなる）の分解斜視図である。
図５は、図４に示す雄グロメット３を雌グロメット４に嵌め込んで構成されるグロメット、並びに、上部部品６ａを下部部品６ｂに嵌め込んでピン状連結部材６とした状態をそれぞれ示す、斜視図である。
図６は、図１（ａ）に示すフロアマット１０（カーペットマットシート付き）における１つの貫通孔およびその周辺の構造を示す、部分拡大平面図、並びに、Ａ−Ａ線断面図、Ｂ−Ｂ線断面図、及びＣ−Ｃ線断面図（但し、Ａ−Ａ線断面図を除き、両マットシートは省略する）である。
図７は、図６の理解を助けるための参考図である。
【００１６】
図８〜図１１は、本発明のフロアマットの基本的な使用方法を説明する模式的説明図である。なお、図８〜図１１に示すフロアマットは、図１〜図７に示すフロアマットと同様に、連結用貫通孔の保護用リング部材として、カーペットマットシート２に雄グロメット３及び雌グロメット４から構成されるグロメットを、樹脂マットシート１にインサートプレート５を、それぞれ用いるものであるが、その目的（基本的な使用方法の説明）に従って、構造を簡略化している。
【００１７】
図８は、樹脂マットシート１の上にカーペットマットシート２を重ねた状態で、連結部材６を回転させてマットシート同士を勘合させた状態を示す部分拡大平面図および部分拡大断面図である。
図９は、連結部材６を回転させてマットシート同士の勘合を外し、カーペットマットシート２を持ち上げることにより、マットシートを分離した状態を示す部分拡大平面図および部分拡大断面図である。
図１０は、カーペットマットシート２の上に樹脂マットシート１を重ねる直前の状態を示す部分拡大平面図および部分拡大断面図である。
図１１は、カーペットマットシート２の上に樹脂マットシート１を重ねた状態で、連結部材６を回転させてマットシート同士を勘合させた状態を示す部分拡大平面図および部分拡大断面図である。
【００１８】
図１〜図３に示すフロアマット１０は、樹脂マットシート１、カーペットマットシート２、及びこれらマットシートの連結用貫通孔を貫通することによって連結する連結部材６とからなる。樹脂マットシート１は、好ましくは弾性軟質の防水素材からなり、カーペットマットシート２を載置可能な平坦部１２ａの周縁に沿って、立ち上がり部１２ｂ、及びそれに続く外周縁部１２ｃを有する。このように、樹脂マットシート１は立ち上がり部１２ｂを有するため、樹脂マットシート１は平坦部１２ａにカーペットマットシート２を保持し、水平方向への移動を防止することができる。また、樹脂マットシート１をカーペットマットシート２の上に重ねた場合には、樹脂マットシート１は立ち上がり部１２ｂを有するため、砂、泥、ごみ、泥水やこぼれた飲料水などがフロアマット１０からこぼれて床（例えば、車両床）を汚すことを防止することができる。
【００１９】
図１〜図３における樹脂マットシート１はピン状の連結部材６が貫通できる、表面から裏面へ貫通する、好ましくは外形が円形状の連結用貫通孔を４か所有し、各貫通孔は、貫通孔保護用リング部材として、図４、図６、図７に示すような、樹脂マットシートに埋設されたインサートプレート５で保護されている。そのため、貫通孔の広がりを防止し、樹脂マットシート又は連結部材の脱落を防止することができる。なお、本発明のフロアマットでは、各種マットシートの連結用貫通孔の保護用リング部材として、インサートプレート以外に、例えば、マットシートの上面および下面から挟み込むグロメット等を用いることができる。
【００２０】
なお、図１〜図３における樹脂マットシート１にはカーペットマットシート２との連結のための貫通孔とは別の貫通孔７を有し、その周囲がグロメットにより保護されているため、車両の床面に設置された、例えばフック状のフロアマット保持部材を、前記貫通孔に貫通させて、車両使用時におけるフロアマットの移動を防止することができる。なお、図１〜図３におけるフロアマットは樹脂マットシート１のみにフロアマット移動防止用の貫通孔を有するが、カーペットマットシート２にも設けることができる。
【００２１】
一方で、カーペットマットシート２はピン状の連結部材６が貫通できる、表面から裏面へ貫通する、好ましくは外形が円形状の連結用貫通孔を４か所有し、各貫通孔は、図４、図６、図７に示すような、雄グロメット３及び雌グロメット４から構成されるグロメットにより保護されている。そのため、貫通孔の広がりを防止し、カーペットマットシート又は連結部材の脱落を防止することができる。雄グロメット３は、筒部３１と、前記筒部の一方の端部の外周に形成されるフランジ部３２とからなり、雌グロメット４は、その中央に前記筒部３１を挿入可能な貫通孔４１を有する。なお、カーペットマットシート２の各連結用貫通孔は、カーペットマットシート２を樹脂マットシート１に重ねた際に、樹脂マットシート１の連結用貫通孔とそれぞれ一致する位置に存在している。
【００２２】
そして、これら樹脂マットシート１の連結用貫通孔及びカーペットマットシート２の連結用貫通孔には、それぞれピン状の連結部材６が挿入され、連結用貫通孔を貫通することによって、樹脂マットシート１とカーペットマットシート２とが連結している。
【００２３】
このピン状の連結部材６は基本的に円筒状の外観を有し、上端部において外側に突出する上部ストッパー６１、下端部において外側に突出する下部ストッパー６２、上部ストッパー６１と下部ストッパー６２との間に位置する胴部６３とから構成されている。連結部材６は、雄グロメット３の筒部３１内を上下方向に移動することができ、図８又は図９に示すように、樹脂マットシート１の上にカーペットマットシート２を配置する場合は、胴部６３の下側が雄グロメット３の筒部３１から下方向に突出するように下方に移動させる。なお、この場合、連結部材６は、上部ストッパー６１の外側方向に突出する１組の鍔部６１ａ，６１ｂが、雄グロメット３における筒部内壁部３３の上端部３３ａの外周に沿って設けた凹部３４に引っ掛かるため、雄グロメット３のフランジ部３２の上面３２ａと、上部ストッパー６１の鍔面６１ｃとが同一平面となる位置で、それ以上、下降することなく静止する。
【００２４】
この状態で、雄グロメット３の筒部３１から下方向に突出させた胴部６３を、樹脂マットシート１の連結用貫通孔に挿入することにより、図８に示すように、樹脂マットシート１の上にカーペットマットシート２を重ねることができる。
【００２５】
図３又は図８に示すように、下部ストッパー６２に、外側方向に突出する１組の鍔部６２ａ，６２ｂを設け、且つ、樹脂マットシート用インサートプレート５の貫通孔５１の内壁部５２に、中心方向に突出し、且つ互いに対向する１組の突出片５３ａ，５３ｂを設けると、連結部材６を回転させることにより、樹脂マットシート１を雌グロメット４と下部ストッパー６２との間で係止固定させると、勘合強度を高めることができるため、好ましい。例えば、前記突出片５３ａ，５３ｂを図３に示すように、３時−９時の方向に設けた場合、図９に示すように、連結部材６を回転させ、連結部材６の鍔部６２ａ，６２ｂを１２時−６時の位置で止めると、前記鍔部６２ａ，６２ｂが前記突出片５３ａ，５３ｂと衝突することなく、連結部材６の胴部６３を樹脂マットシート１の連結用貫通孔に挿入することができる。この状態で、図８に示すように、連結部材６を回転させ、連結部材６の鍔部６２ａ，６２ｂを３時−９時の位置で止めると、前記鍔部６２ａ，６２ｂが前記突出片５３ａ，５３ｂに引っ掛かるため、樹脂マットシート１が雌グロメット４と下部ストッパー６２との間で係止固定される。
【００２６】
なお、上部ストッパー６１の鍔面６１ｃに、硬貨等と勘合できるスリット状の溝６１ｄを設けると、勘合具合を目視で確認できるため、好ましい。
【００２７】
一方、図１０又は図１１に示すように、樹脂マットシート１の下にカーペットマットシート２を配置する場合は、胴部６３の上側が雄グロメット３の筒部３１から上方向に突出するように上方に移動させる。この場合、連結部材６は、下部ストッパー６２の鍔部６２ａ，６２ｂが、雄グロメット３における筒部内壁部３３の下端部３３ｂの外周に引っ掛かるため、雌グロメット４の下面４２と、下部ストッパー６２の鍔面６２ｃとが概ね同一平面となる位置で、それ以上、上昇することなく静止する。また、雄グロメット３における筒部内壁部３３の下端部３３ｂの外周に沿って凹部を設けた場合、下部ストッパー６２の鍔部６２ａ，６２ｂが前記凹部に引っ掛かるため、雌グロメット４の下面４２と、下部ストッパー６２の鍔面６２ｃとが同一平面となる位置で、それ以上、上昇することなく静止させることができる。
【００２８】
この状態で、雄グロマット３の筒部３１から上方向に突出させた胴部６３を、樹脂マットシート１の連結用貫通孔に挿入することにより、図１１に示すように、カーペットマットシート２の上に樹脂マットシート１を重ねることができる。
【００２９】
図１１に示すように、上部ストッパー６１に、外側方向に突出する１組の鍔部６１ａ，６１ｂを設け、且つ、樹脂マットシート用インサートプレート５の貫通孔５１の内壁部５２に、中心方向に突出し、且つ互いに対向する１組の突出片５３ａ，５３ｂを設けると、連結部材６を回転させることにより、樹脂マットシート１を雄グロメット３と上部ストッパー６１との間で係止固定させると、勘合強度を高めることができるため、好ましい。例えば、前記突出片５３ａ，５３ｂを図３に示すように、３時−９時の方向に設けた場合、図１０に示すように、連結部材６を回転させ、連結部材６の鍔部６１ａ，６１ｂを１２時−６時の位置で止めると、前記鍔部６１ａ，６１ｂが前記突出片５３ａ，５３ｂと衝突することなく、連結部材６の胴部６３を樹脂マットシート１の連結用貫通孔に挿入することができる。この状態で、図１１に示すように、連結部材６を回転させ、連結部材６の鍔部６１ａ，６１ｂを３時−９時の位置で止めると、前記鍔部６１ａ，６１ｂが前記突出片５３ａ，５３ｂに引っ掛かるため、樹脂マットシート１が雄グロメット３と上部ストッパー６１との間で係止固定される。
しかしながら、連結部材６の胴部６３に上部ストッパー６１又は下部ストッパー６２は必ずしも必要ではない。
【００３０】
このように、本発明のフロアマットは、例えば、土砂、水や雪が多く存在する環境下で使用するなど、従来とは異なるシチュエーションで使用しようとする場合、樹脂マットシート１の下にカーペットマットシート２を収納することができ、表面に露出したマットシートを交換した場合であっても、カーペットマットシート２の収納場所を取らない。
【００３１】
本発明のフロアマットでは、雄グロメット３の筒部３１の内壁部３３と連結部材６の胴部６３とが部分的に接触する（すなわち、全面で接触しない）ように、内壁部若しくは連結部材の胴部のいずれか一方の形状、又は内壁部及び連結部材の胴部の両方の形状を設計する。このように設計することにより、摩擦抵抗を小さくして、滑りを良くし、マットシートの脱着性を向上させることができる。
【００３２】
図４〜図７に示す雄グロメット３と連結部材６においては、雌グロメット４の中央貫通孔４１に雄グロメット３の中空の筒部３１が嵌合され、前記筒部３１に更に連結部材６の胴部６３が挿入されている。前記胴部６３の断面形状は、図６に示すように、基本的形状として、正方形の四辺に大略半円が結合した形状であり、その外周が、前記大略半円に由来する凸部６４ａ，６４ｂ，６４ｃ，６４ｄと、隣接する凸部間に由来する凹部６５ａ，６５ｂ，６５ｃ，６５ｄが、交互に、且つ滑らかに４回繰り返す形状をとる。一方、雄グロメット３の筒部３１の断面形状は、壁厚が一定の筒型形状を大略二等分したもの３４ａ，３４ｂに、それぞれの一方の端部の内壁部側に大略半円３５ａ，３５ｂが結合した形状（但し、大略半円を結合する端部は、互いに対向する端部であるものとする）である。雄グロメット３の筒部３１の内壁部３３と、連結部材６の胴部６３とは、大略半円３５ａと凹部６５ａとの間と、大略半円３５ｂと凹部６５ｃとの間の二か所で接触している。
【００３３】
図４〜図７に示す形状では、胴部６３における凸部及び凹部の繰り返し単位の数が４であるが、これに限定されるものではなく、例えば、１〜８であることができる。また、筒部３１では、筒型形状を大略二等分しているが、これに限定されるものではなく、例えば、２〜８等分することができる。
【００３４】
雄グロメット３の筒部３１の内壁部３３と連結部材６の胴部６３との接触状態を示す別の例の図１２に示す態様では、連結部材６の胴部６３の断面形状が円形であり、前記胴部６３と、筒部３１の内壁部３３とは、内壁部３３の長さ方向に延び、且つ内壁部３３から中心に向かって延びる６つの突出部３７の端部３７ａで接触している。前記突出部の数は、例えば２〜８であり、好ましくは３〜６であり、均等に配置されていることが好ましい。また、突出部の断面形状は、図１２に示す矩形形状以外にも、例えば、頂点で胴部と接触する三角形状、半円形状、半楕円形状などを挙げることができる。
【００３５】
図１２に示す態様は、内壁部側に突出部を設けるものであるが、内壁部の断面形状を真円形状とし、胴部側に、胴部の長さ方向に延び、且つ胴部から外側に向かって延びる突出部を設けることもできる。この場合、突出部の数は、例えば２〜８であり、好ましくは３〜６であり、均等に配置されていることが好ましい。また、突出部の断面形状は、例えば、矩形形状、頂点で内壁部と接触する三角形状、半円形状、半楕円形状などを挙げることができる。
【００３６】
本発明のフロアマットにおける好適態様として、図４に示す態様では、雄グロメット３の筒部３１に、筒部の円周方向に沿って延びるスリット３６を、対向する位置に２個設けている。このようなスリットを設けることにより、雄グロメットの筒部の形状が変化しやすくなるため、連結部材６の筒部における上下方向への移動時又は筒部における円周方向への回転時の摩擦抵抗をより小さくして滑りを良くすることができる。
【００３７】
スリットの幅（すなわち、筒部の長さ方向における長さ、スリットが筒部の長さ方向に複数ある場合にはスリットの幅の合計）は、筒部の形状が変化しやすくなるのであれば、特に限定されるものではなく、筒部の全長の３０〜８０％であることができる。
また、筒部の円周に対するスリットの占める割合（スリットが筒部の円周方向に複数ある場合にはスリットの長さの合計）は、例えば、１０〜９０％（好ましくは３０〜７０％）であることができる。
筒部に設けるスリットの数は、例えば、０〜１０個であることができる。
なお、図４に示す態様では雄グロメット３の筒部３１に、貫通するスリット３６を有する態様であるが、スリットが貫通していなくても、雄グロメットの筒部の形状が変化しやすく、摩擦抵抗をより小さくして滑りを良くすることができる。
【００３８】
本発明のフロアマットにおける別の好適態様として、図４〜図７に示す態様では、連結部材６の胴部６３の上端部と下端部との間に中央突起６６を設けている。このような中央突起を設けることにより、連結部材を上下方向に移動させた場合に発生する可能性のあるがたつきを防止することができる。なお、図４〜図７に示す態様では、胴部６３をほぼ２等分した位置に中央突起６６を有するが、２等分した位置でなくても、同様の作用効果を奏する。また、中央突起は１つである必要はなく、２つ以上設けても良い。
【００３９】
これまで説明した各態様では、樹脂マットシート１とカーペットマットシート２の２枚のマットシートから構成されているが、２枚のマットシートから構成されている必要はなく、３枚以上であっても良い。マットシートの数が多ければ多いほど、シチュエーションに対応させて、マットシートを表面に露出させて使用することができるとともに、マットシートの収納場所を取らない。
【００４０】
なお、マットシートとしては、前述のような樹脂マットシート、カーペットマットシートに限定されず、例えば、カーペットマットシートと樹脂マットシートとの複合マットシートを使用することもできる。
【００４１】
カーペットマットシートとしては、例えば、天然繊維又は合成繊維からなるタフテッドカーペット、ニードルパンチカーペット、フックカーペット、又は織物基布を挙げることができ、その裏面には、摩擦力を保持する、天然ゴム若しくは合成ゴム（例えば、スチレン−ブタジエンゴム、ブタジエンゴム、イソプレンゴム、又はニトリル−ブタジエンゴム）、又は熱可塑性エラストマー（例えば、スチレン系、ポリオレフィン系、イソプレン系又はポリ塩化ビニル系の各熱可塑性エラストマー）からなる樹脂の他に、滑り止め機能を保持した不織布、織物などの繊維裏材を貼り合わせることができる。
【００４２】
樹脂マットシートとしては、例えば、天然ゴム若しくは合成ゴム（例えば、スチレン−ブタジエンゴム、ブタジエンゴム、イソプレンゴム、又はニトリル−ブタジエンゴム）、又は熱可塑性エラストマー（例えば、スチレン系、ポリオレフィン系、又はポリ塩化ビニル系の各熱可塑性エラストマー）からなる樹脂マットシートを挙げることができる。
【００４３】
本発明で用いるマットシートとしてカーペットマットシートを含んでいると、意匠性に優れているため好適である。なお、マットシートとして樹脂マットシートを含む場合、樹脂マットシートの平坦部１２ａには、横滑りを防ぐために、デザイン上の観点、或いは使用者のズボンの裾を濡らすことがないように、各種凹凸模様を付することができる。また、カーペットマットシート、樹脂マットシートなどのマットシートは、マットシートの耐久性を高めるために、踵が頻繁に接触する箇所にパッドを装着したり、前記箇所の厚さを厚くするのが好ましい。
【００４４】
本発明のフロアマットを構成することのあるグロメット又はインサートプレート等の素材は特に限定されるものではないが、例えば、エンジニアリングプラスチック［例えば、ポリアセタール（ＰＯＭ）、ポリアミド（ＰＡ）など］、オレフィン系樹脂［例えば、ポリプロピレン（ＰＰ）、ポリエチレン（ＰＥ）］であることができる。
【００４５】
図１におけるフロアマット１０においては、４か所において連結部材６によって連結されているが、４所である必要はない。なお、図１における樹脂マットシート１の平坦部１２ａの外周形状とカーペットマットシート２の外周形状とはほぼ同じ、かつほぼ同じ大きさであるが、外周形状、大きさともに同じである必要はない。しかしながら、樹脂マットシート１の平坦部１２ａの外周形状とカーペットマットシート２の外周形状とはほぼ同じ、かつほぼ同じ大きさであると、カーペットマットシート２の水平方向へのずれを効果的に防止することができる。
【００４６】
図８〜１１におけるフロアマット１０においては、カーペットマットシート２における雄グロメット３の筒部内壁部３３に連結部材６が挿入された状態にあるが、樹脂マットシート１のインサートプレート５の内壁部５２に連結部材６が挿入された状態にあっても良い。
なお、図１〜１１のフロアマット１０においては、樹脂マットシート１の連結用貫通孔はインサートプレート５によって保護されているが、カーペットマットシート２と同様のグロメットによって保護されていても良い。
また、図１〜１１のフロアマット１０は、カーペットマットシート２と樹脂マットシート１とが連結部材６の回転によって勘合可能であるが、必ずしも勘合できる必要はない。
更に、図１〜１１のフロアマット１０においては、雄グロメットと雌グロメットとから構成されるグロメットを使用しているが、樹脂マットシート１又はカーペットマットシート２の貫通孔に装着可能な変形性を有するグロメットであれば、雄グロメットと雌グロメットとから構成されている必要はない。
【産業上の利用可能性】
【００４７】
本発明のフロアマットは、例えば、自動車用フロアマットの用途に好適に適用することができる。
【符号の説明】
【００４８】
１０・・・フロアマット；
１・・・樹脂マットシート；２・・・カーペットマットシート；
３・・・雄グロメット；４・・・雌グロメット；
５・・・インサートプレート；６・・・ピン状連結部材；
【図１】
2020015479.tif 000003
【図２】
2020015479.tif 000004
【図３】
2020015479.tif 000005
【図４】
2020015479.tif 000006
【図５】
2020015479.tif 000007
【図６】
2020015479.tif 000008
【図７】
2020015479.tif 000009
【図８】
2020015479.tif 000010
【図９】
2020015479.tif 000011
【図１０】
2020015479.tif 000012
【図１１】
2020015479.tif 000013
【図１２】
2020015479.tif 000014